(57)【要約】【課題】１年を通して人体検出手段による室内の監視を行わせることができるとともに、室内スペースを有効利用することができる暖房装置を提供する。【解決手段】筐体２内に配設されるとともに、熱を発生させ得るバーナ５と、該バーナ５に向かって送風し得るとともに、当該バーナ５から発生した熱を筐体２の外側に噴出させる送風ファン６と、室内の人体の有無を検出し得る人体検出手段８と、バーナ５、送風ファン６及び人体検出手段８の作動を制御する制御手段７とを具備した暖房装置であって、制御手段７は、バーナ５が非作動のとき、送風ファン６を作動させ得るとともに、人体検出手段８による人体の有無を検出させて室内の監視を行わせ得るものである。【選択図】図３
2015200439.tif 000002
【特許請求の範囲】
【請求項１】
筐体内に配設されるとともに、熱を発生させ得る熱源と、
該熱源に向かって送風し得るとともに、当該熱源から発生した熱を前記筐体の外側に噴出させる送風ファンと、
室内の人体の有無を検出し得る人体検出手段と、
前記熱源、送風ファン及び人体検出手段の作動を制御する制御手段と、
を具備した暖房装置であって、
前記制御手段は、前記熱源が非作動のとき、前記送風ファンを作動させ得るとともに、前記人体検出手段による人体の有無を検出させて室内の監視を行わせ得ることを特徴とする暖房装置。
【請求項２】
前記制御手段は、前記人体検出手段により検出された人体の有無情報に基づき、前記熱源及び送風ファンの作動を制御し得ることを特徴とする請求項１記載の暖房装置。
【請求項３】
前記人体検出手段により検出された人体の有無情報を所定の携帯端末に送信し得る送信手段を具備したことを特徴とする請求項１又は請求項２記載の暖房装置。
【請求項４】
前記筐体は、前記熱源が非作動のとき、前記送風ファンを作動させるためのサーキュレータスイッチを有することを特徴とする請求項１〜３の何れか１つに記載の暖房装置。
【発明の詳細な説明】
【技術分野】
【０００１】
本発明は、筐体内に配設されるとともに、熱を発生させ得る熱源と、該熱源に向かって送風し得るとともに、当該熱源から発生した熱を筐体の外側に噴出させる送風ファンと、室内の人体の有無を検出し得る人体検出手段と、熱源、送風ファン及び人体検出手段の作動を制御する制御手段とを具備した暖房装置に関するものである。
【背景技術】
【０００２】
ファンヒータなどの暖房装置は、通常、灯油等の燃料を燃焼させることにより室温を上昇させ得るバーナ（熱源）と、熱源に向かって送風し得るとともに、当該熱源から発生した熱を前記筐体の外側に噴出させる送風ファンとを具備している。さらに、従来の暖房装置として、例えば特許文献１にて開示されているように、人の有無を検知し得る人体検出手段を具備することで、人体の有無に応じて熱源を制御するとともに、防犯又は住人の異常状態の監視を行わせるものが提案されている。
【先行技術文献】
【特許文献】
【０００３】
【特許文献１】特開２００５−２９１５９５号公報
【発明の概要】
【発明が解決しようとする課題】
【０００４】
しかしながら、上記従来技術に係る暖房装置は、人体検出手段によって熱源を適切に制御させることができるとともに、防犯又は住人の異常状態の監視を行わせることができるものの、夏季など暖房を必要としない時期においては、押し入れ等の収納スペースに収容されてしまうことから、人体検出手段による室内の監視を行わせることができないという問題があった。一方、専ら人体検出手段による室内の監視を行わせるために、暖房装置を室内に置いておくのは、室内スペースの有効利用の観点から好ましくない。
【０００５】
本発明は、このような事情に鑑みてなされたもので、１年を通して人体検出手段による室内の監視を行わせることができるとともに、室内スペースを有効利用することができる暖房装置を提供することにある。
【課題を解決するための手段】
【０００６】
請求項１記載の発明は、筐体内に配設されるとともに、熱を発生させ得る熱源と、該熱源に向かって送風し得るとともに、当該熱源から発生した熱を前記筐体の外側に噴出させる送風ファンと、室内の人体の有無を検出し得る人体検出手段と、前記熱源、送風ファン及び人体検出手段の作動を制御する制御手段とを具備した暖房装置であって、前記制御手段は、前記熱源が非作動のとき、前記送風ファンを作動させ得るとともに、前記人体検出手段による人体の有無を検出させて室内の監視を行わせ得ることを特徴とする。
【０００７】
請求項２記載の発明は、請求項１記載の暖房装置において、前記制御手段は、前記人体検出手段により検出された人体の有無情報に基づき、前記熱源及び送風ファンの作動を制御し得ることを特徴とする。
【０００８】
請求項３記載の発明は、請求項１又は請求項２記載の暖房装置において、前記人体検出手段により検出された人体の有無情報を所定の携帯端末に送信し得る送信手段を具備したことを特徴とする。
【０００９】
請求項４記載の発明は、請求項１〜３の何れか１つに記載の暖房装置において、前記筐体は、前記熱源が非作動のとき、前記送風ファンを作動させるためのサーキュレータスイッチを有することを特徴とする。
【発明の効果】
【００１０】
請求項１の発明によれば、制御手段は、熱源が非作動のとき、送風ファンを作動させ得るとともに、人体検出手段による人体の有無を検出させて室内の監視を行わせ得るので、暖房が不要な夏季においても、サーキュレータ（室内の空気を循環させるための送風器）として稼働させつつ室内の監視を行わせることができる。したがって、１年を通して人体検出手段による室内の監視を行わせることができるとともに、室内スペースを有効利用することができる。
【００１１】
請求項２の発明によれば、制御手段は、人体検出手段により検出された人体の有無情報に基づき、熱源及び送風ファンの作動を制御し得るので、人体検出手段による検出結果を、室内の監視に加え、熱源及び送風ファンの制御に利用することができる。
【００１２】
請求項３の発明によれば、人体検出手段により検出された人体の有無情報を所定の携帯端末に送信し得る送信手段を具備したので、人体検出手段による検出結果を室外に送信することで、室内の監視を外部からリアルタイムで行わせることができる。
【００１３】
請求項４の発明によれば、筐体は、熱源が非作動のとき、送風ファンを作動させるためのサーキュレータスイッチを有するので、暖房が不要な夏季においても、サーキュレータ（室内の空気を循環するための送風器）としての機能を円滑に行わせることができる。
【図面の簡単な説明】
【００１４】
【図１】本発明の実施形態に係る暖房装置を示す外観模式図
【図２】同暖房装置の内部構成を示す断面模式図
【図３】同暖房装置の構成を示すブロック図
【発明を実施するための形態】
【００１５】
以下、本発明の実施形態について図面を参照しながら具体的に説明する。
本実施形態に係る暖房装置は、図１〜３に示すように、筐体２と、熱源としてのバーナ５と、送風ファン６と、制御手段７と、人体検出手段８と、送信手段１１とを有した石油ファンヒータ１から成る。なお、筐体２は、箱状に形成されて内部に本暖房装置の種々部品が収容されるもので、筐体２内部の空気を前方に向かって噴出可能な噴出口３及び各種操作が可能な操作パネル４がそれぞれ配設されている。
【００１６】
バーナ５（熱源）は、筐体２内に配設されるとともに、燃料としての灯油を燃焼させて熱を発生させ、室温を上昇させ得るものである。なお、バーナ５には、燃料の燃焼時、当該バーナ５に送り込まれる空気の量を調整するための空気量可変手段９と、当該バーナ５に送り込まれる燃料の量を調整するための燃料流量可変手段１０とが接続されている。なお、本実施形態においては、筐体２内に振動検出手段１３が配設されており、地震や人が干渉等して当該振動検出手段１３で振動が検出されると、バーナ５に送り込まれる燃料を停止させ得るようになっている。
【００１７】
送風ファン６は、バーナ５に向かって送風し得るとともに、当該バーナ５から発生した熱を噴出口３を介して筐体２の外側に噴出させるためのものである。すなわち、筐体２内において、図２に示すように、噴出口３と送風ファン６との間に熱源としてのバーナ５が配設されているため、送風ファン６を作動させつつバーナ５により燃料が燃焼されると、その熱で加熱された暖かい空気が噴出口３から噴出され、室内を暖めることができるのである。
【００１８】
操作パネル４は、サーキュレータスイッチ４ａ及び電源スイッチ４ｃ等の操作のためのスイッチ類（温度設定のための入力スイッチ等も含む）、表示パネル４ｂ及び人体検出手段８が形成されたものである。ここで、本実施形態に係るサーキュレータスイッチ４ａは、バーナ５（熱源）が非作動のとき、送風ファン６を作動させるためのものである。かかるサーキュレータスイッチ４ａが操作されると、その入力信号が制御手段７に送信され、後述するサーキュレータ制御手段７ｂにより、バーナ５を非作動、且つ、送風ファン６を作動させて、サーキュレータとして機能させ得るよう構成されている。
【００１９】
人体検出手段８は、室内の人体の有無を検出し得るもので、例えば赤外線を検知して人体の有無を検出し得る赤外線センサ、又は撮像した画像に基づき人体の有無を検出し得る画像センサから成る。人体検出手段８が赤外線センサから成る場合、人体から発せられる所定範囲の波長の赤外線を検出し得るセンサを具備するものとされ、画像センサから成る場合、室内を撮像し得るカメラを具備し、そのカメラで撮像した画像に動く対象があるか否か、或いは当該画像に人と認識される対象があるか否かを判別する判別手段を具備するものとされる。
【００２０】
制御手段７は、バーナ５、送風ファン６及び人体検出手段８の作動を制御するマイコン等から成るもので、監視制御手段７ａと、サーキュレータ制御手段７ｂと、燃焼制御手段７ｃとを有している。燃焼制御手段７ｃは、本石油ファンヒータ１が暖房として機能する際の基本的動作を制御するもので、例えば室温が操作パネル４で設定された設定温度となるように空気量可変手段９の空気の量及び燃料流量可変手段１０の燃料の流量を任意に調整し得るようになっている。なお、図中符号１２は、室内温度を検出するための温度検出手段を示している。
【００２１】
サーキュレータ制御手段７ｂは、既述のサーキュレータスイッチ４ａが操作された際にバーナ５及び送風ファン６を制御して本石油ファンヒータ１をサーキュレータとして機能させるためのものである。具体的には、サーキュレータスイッチ４ａが操作されると、バーナ５の燃焼に関する手段（空気量可変手段９及び燃料流量可変手段１０等）の作動を停止状態にて維持しつつ、送風ファン６のみを作動して空気を噴出口３から噴出させることで、室内の空気を循環させるようになっている。これにより、例えば夏季にも本石油ファンヒータ１をサーキュレータとして稼働させることができる。
【００２２】
監視制御手段７ａは、人体検出手段８による人体の有無を検出させて室内の監視を行わせ得るものである。ここで、本実施形態においては、人体検出手段８により検出された人体の有無情報を所定の携帯端末Ａに送信し得る送信手段１１を具備しており、監視制御手段７ａは当該送信手段１１と接続されて人体検出手段８による監視状況を所定の携帯端末Ａに送信し得るよう構成されている。
【００２３】
本実施形態に係る送信手段１１は、インターネット（コンピュータネットワークを利用した通信網）から成る通信回線と接続されており、当該インターネット経由で人体検出手段８による検出信号を携帯端末Ａに送信し得るようになっている。なお、使用する通信回線は、有線又は無線の何れで接続されていてもよく、インターネットに代えて他の形態の通信網（電話回線やイントラネット等）としてもよい。
【００２４】
携帯端末Ａは、通信回線と接続された携帯が可能な端末から成り、送信手段１１で送信された室内の監視情報をリアルタイムで受信して表示し得るよう構成されている。かかる携帯端末Ａとして、インターネット通信が可能な携帯電話（スマートフォン）又はタブレット型コンピュータ（タブレット端末）等が挙げられる。そして、例えば携帯端末Ａは、送信手段１１からの検出信号を受信すると、当該携帯端末Ａに搭載された表示パネル（液晶画面等）にて当該検出信号に基づく室内の監視状況を画像や文字等にて表示させることができるようになっている。
【００２５】
なお、送信手段１１は、専ら人体検出手段８による検出状況を携帯端末Ａに送信し得るものとされているが、双方向に通信可能なものとしてもよく、バーナ５の燃焼状態（燃焼の有無や程度）をリアルタイムで携帯端末Ａに送信して表示（例えば、文字や図柄等による表示）させ、バーナ５（熱源）の燃焼状態を視認させるものとしてもよい。この場合、携帯端末Ａの表示パネルに表示された操作部を触れて操作し、或いは携帯端末Ａに形成された別個の操作スイッチを操作することで、本石油ファンヒータ１に対して制御信号を送信し、操作パネル４のスイッチ類の操作の有無に関わらず、バーナ５による燃焼を停止させるよう構成するのが好ましい。
【００２６】
上記実施形態によれば、制御手段７（サーキュレータ制御手段７ｂ）は、バーナ５（熱源）が非作動のとき、送風ファン６を作動させ得るとともに、人体検出手段８による人体の有無を検出させて室内の監視を行わせ得るので、暖房が不要な夏季においても、サーキュレータ（室内を空気を循環するための送風器）として稼働させつつ室内の監視を行わせることができる。したがって、１年を通して人体検出手段８による室内の監視を行わせることができるとともに、室内スペースを有効利用することができる。
【００２７】
また、本実施形態に係る制御手段７は、人体検出手段８により検出された人体の有無情報に基づき、バーナ５（熱源）及び送風ファン６の作動を制御し得るので、人体検出手段８による検出結果を、室内の監視に加え、バーナ５（熱源）及び送風ファン６の制御（本来の暖房装置としての制御機能）に利用することができる。特に、本実施形態によれば、人体検出手段８により検出された人体の有無情報を所定の携帯端末Ａに送信し得る送信手段１１を具備したので、人体検出手段８による検出結果を室外に送信することで、室内の監視を外部からリアルタイムで行わせることができる。
【００２８】
またさらに、本実施形態に係る筐体２は、バーナ５（熱源）が非作動のとき、送風ファン６を作動させるためのサーキュレータスイッチ４ａを有するので、暖房が不要な夏季においても、サーキュレータ（室内の空気を循環するための送風器）としての機能を円滑に行わせることができる。なお、冬季の暖房が必要な時期においても、エアコン等の別個の暖房器具にて室内を暖め、本暖房装置のサーキュレータ機能にて室内の空気を循環させるようにしてもよい。
【００２９】
以上、本実施形態について説明したが、本発明はこれに限定されるものではなく、例えば熱源が他のもの（例えば電気を導通させて熱を発生させる電熱線タイプ或いはセラミックタイプ等）としてもよい。また、本実施形態においては、人体検出手段８により検出された人体の有無情報を所定の携帯端末Ａに送信し得る送信手段１１を具備しているが、当該送信手段１１を具備せず、例えば人体検出手段８による検出の結果、異常があると判定された場合、所定の警報を発生させるもの等であってもよい。
【産業上の利用可能性】
【００３０】
熱源が非作動のとき、送風ファンを作動させ得るとともに、人体検出手段による人体の有無を検出させて室内の監視を行わせ得る制御手段を具備した暖房装置であれば、外観形状が異なるもの或いは他の機能が付加されたもの等にも適用することができる。
【符号の説明】
【００３１】
１  石油ファンヒータ（暖房装置）
２  筐体
３  噴出口
４  操作パネル
５  バーナ（熱源）
６  送風ファン
７  制御手段
８  人体検出手段
９  空気量可変手段
１０  燃料流量可変手段
１１  送信手段
１２  温度検出手段
１３  振動検出手段
Ａ  携帯端末
【図１】
2015200439.tif 000003
【図２】
2015200439.tif 000004
【図３】
2015200439.tif 000005
【手続補正書】
【提出日】平成27年6月19日(2015.6.19)
【手続補正１】
【補正対象書類名】明細書
【補正対象項目名】０００６
【補正方法】変更
【補正の内容】
【０００６】
請求項１記載の発明は、筐体内に配設されるとともに、熱を発生させ得る熱源と、該熱源に向かって送風し得るとともに、当該熱源から発生した熱を前記筐体の噴出口から外側に噴出させる送風ファンと、室内の人体の有無を検出し得る人体検出手段と、前記熱源、送風ファン及び人体検出手段の作動を制御する制御手段とを具備した可搬式の石油ファンヒータから成る暖房装置であって、前記制御手段は、前記熱源が非作動のとき、前記送風ファンを作動させてサーキュレータとして機能させ得るとともに、前記人体検出手段による人体の有無を検出させて室内の監視を行わせ得るものとされ、且つ、前記噴出口と送風ファンとの間に前記熱源が配設され、当該送風ファンを作動させて前記噴出口から前記熱源で加熱された空気を噴出する場合と、前記熱源を非作動としつつ当該送風ファンを作動させて前記噴出口から空気を噴出してサーキュレータとして機能させる場合とで空気の流通経路が同一とされたことを特徴とする。
【手続補正２】
【補正対象書類名】明細書
【補正対象項目名】０００９
【補正方法】変更
【補正の内容】
【０００９】
請求項４記載の発明は、請求項１〜３の何れか１つに記載の暖房装置において、前記筐体は、前記熱源が非作動のとき、前記送風ファンを作動させるためのサーキュレータスイッチを有することを特徴とする。
請求項５記載の発明は、請求項１〜４の何れか１つに記載の暖房装置において、前記人体検出手段は、前記筐体の噴出口が形成された面に配設されたことを特徴とする。
【手続補正３】
【補正対象書類名】明細書
【補正対象項目名】００３０
【補正方法】変更
【補正の内容】
【００３０】
熱源が非作動のとき、送風ファンを作動させてサーキュレータとして機能させ得るとともに、人体検出手段による人体の有無を検出させて室内の監視を行わせ得る制御手段を具備し、且つ、噴出口と送風ファンとの間に熱源が配設され、当該送風ファンを作動させて噴出口から熱源で加熱された空気を噴出する場合と、熱源を非作動としつつ当該送風ファンを作動させて噴出口から空気を噴出してサーキュレータとして機能させる場合とで空気の流通経路が同一とされた石油ファンヒータから成る暖房装置であれば、外観形状が異なるもの或いは他の機能が付加されたもの等にも適用することができる。
【手続補正４】
【補正対象書類名】特許請求の範囲
【補正対象項目名】全文
【補正方法】変更
【補正の内容】
【特許請求の範囲】
【請求項１】
筐体内に配設されるとともに、熱を発生させ得る熱源と、
該熱源に向かって送風し得るとともに、当該熱源から発生した熱を前記筐体の噴出口から外側に噴出させる送風ファンと、
室内の人体の有無を検出し得る人体検出手段と、
前記熱源、送風ファン及び人体検出手段の作動を制御する制御手段と、
を具備した可搬式の石油ファンヒータから成る暖房装置であって、
前記制御手段は、前記熱源が非作動のとき、前記送風ファンを作動させてサーキュレータとして機能させ得るとともに、前記人体検出手段による人体の有無を検出させて室内の監視を行わせ得るものとされ、且つ、前記噴出口と送風ファンとの間に前記熱源が配設され、当該送風ファンを作動させて前記噴出口から前記熱源で加熱された空気を噴出する場合と、前記熱源を非作動としつつ当該送風ファンを作動させて前記噴出口から空気を噴出してサーキュレータとして機能させる場合とで空気の流通経路が同一とされたことを特徴とする暖房装置。
【請求項２】
前記制御手段は、前記人体検出手段により検出された人体の有無情報に基づき、前記熱源及び送風ファンの作動を制御し得ることを特徴とする請求項１記載の暖房装置。
【請求項３】
前記人体検出手段により検出された人体の有無情報を所定の携帯端末に送信し得る送信手段を具備したことを特徴とする請求項１又は請求項２記載の暖房装置。
【請求項４】
前記筐体は、前記熱源が非作動のとき、前記送風ファンを作動させるためのサーキュレータスイッチを有することを特徴とする請求項１〜３の何れか１つに記載の暖房装置。
【請求項５】
前記人体検出手段は、前記筐体の噴出口が形成された面に配設されたことを特徴とする請求項１〜４の何れか１つに記載の暖房装置。